(57)【要約】【課題】作業者による目測や経験に頼らなくともベローズを適正な状態で取り付けることができるドラム式洗濯機を提供する。【解決手段】本実施形態のドラム式洗濯機は、洗濯物の投入口を有する外箱と、外箱内に弾性支持して収納された水槽と、水槽内に回転可能に配設された回転槽と、水槽に設けられ外箱の投入口から回転槽内に洗濯物を投入するための開口部と、外箱の投入口と水槽の開口部との間を水密に接続する弾性変形可能な円筒状のベローズと、ベローズが取り付けられるベローズ取付部と、ベローズ取付部に対しベローズを位置決めする位置決め部と、を備え、位置決め部は、ベローズに設けられるベローズ側位置決め部と、ベローズ取付部に設けられるベローズ取付部側位置決め部と、を備える。【選択図】図２
2020141895.tif 000002
【特許請求の範囲】
【請求項１】
洗濯物の投入口を有する外箱と、前記外箱内に弾性支持して収納された水槽と、前記水槽内に回転可能に配設された回転槽と、前記水槽に設けられ前記外箱の投入口から前記回転槽内に洗濯物を投入するための開口部と、前記外箱の投入口と前記水槽の開口部との間を水密に接続する弾性変形可能な円筒状のベローズと、前記ベローズが取り付けられるベローズ取付部と、前記ベローズ取付部に対し前記ベローズを位置決めする位置決め部と、を備え、
前記位置決め部は、前記ベローズに設けられるベローズ側位置決め部と、前記ベローズ取付部に設けられるベローズ取付部側位置決め部と、を備えるドラム式洗濯機。
【請求項２】
前記外箱の投入口を開閉するドアを備え、
前記ベローズは、前記ドアが前記外箱の投入口を閉塞する閉塞状態において当該ドアに当接するリップを有し、
前記位置決め部は、前記リップの近傍に備えられている請求項１に記載のドラム式洗濯機。
【請求項３】
前記位置決め部は、前記水槽よりも前記ドアに近い位置に備えられている請求項２に記載のドラム式洗濯機。
【請求項４】
前記位置決め部は、前記ドアよりも前記水槽に近い位置に備えられている請求項２に記載のドラム式洗濯機。
【請求項５】
前記ベローズは、複数の前記位置決め部を備え、
前記ベローズの下側に備えられる前記位置決め部の数は、前記ベローズの上側に備えられる前記位置決め部の数よりも多い請求項１から４の何れか１項に記載のドラム式洗濯機。
【請求項６】
前記ベローズ側位置決め部および前記ベローズ取付部側位置決め部のうち凸形状である前記位置決め部は、前記ベローズ側位置決め部および前記ベローズ取付部側位置決め部のうち孔形状である前記位置決め部を貫通している請求項１から５の何れか１項に記載のドラム式洗濯機。
【発明の詳細な説明】
【技術分野】
【０００１】
本発明の実施形態は、ドラム式洗濯機に関する。
【背景技術】
【０００２】
一般にドラム式洗濯機においては、外箱前面に円形に形成された洗濯物の投入口とこれに内方から臨むように円形に形成された水槽の開口部との間が、防振及び防水機能を有する弾性材製で蛇腹円筒状のベローズによって連結されている。かかるベローズを外箱の投入口に固定する方法として、投入口の開口縁部にベローズの外箱側端部に形成されたフランジ部を被せ、これをリング状のワイヤで締め付ける方法がある。
【０００３】
ところで、この種のベローズは、例えば傾き、撓み、偏芯などが無い適正な状態で取り付けられることが要求される。そのため、例えば特許文献１に開示されているように、ベローズに当該ベローズの上下方向を認識するため目印として突片を設け、作業者は、この突片を目安としてベローズの取り付けを行うようにしている。
【先行技術文献】
【特許文献】
【０００４】
【特許文献１】特開２０１１−４１７４６号公報
【発明の概要】
【発明が解決しようとする課題】
【０００５】
しかしながら、上記したような突片は、あくまでも目安として機能するに過ぎない。従って、ベローズの実際の取り付けは、最終的には、作業者による目測や経験に頼らざるを得ない状況となっている。
【０００６】
そこで、本実施形態は、作業者による目測や経験に頼らなくともベローズを適正な状態で取り付けることができるドラム式洗濯機を提供する。
【課題を解決するための手段】
【０００７】
本実施形態に係るドラム式洗濯機は、洗濯物の投入口を有する外箱と、前記外箱内に弾性支持して収納された水槽と、前記水槽内に回転可能に配設された回転槽と、前記水槽に設けられ前記外箱の投入口から前記回転槽内に洗濯物を投入するための開口部と、前記外箱の投入口と前記水槽の開口部との間を水密に接続する弾性変形可能な円筒状のベローズと、前記ベローズが取り付けられるベローズ取付部と、前記ベローズ取付部に対し前記ベローズを位置決めする位置決め部と、を備え、前記位置決め部は、前記ベローズに設けられるベローズ側位置決め部と、前記ベローズ取付部に設けられるベローズ取付部側位置決め部と、を備える。
【図面の簡単な説明】
【０００８】
【図１】第１実施形態に係るドラム式洗濯機の構成例を概略的に示す斜視図
【図２】第１実施形態に係るドラム式洗濯機における要部の構成例を拡大して概略的に示すものであり、図１のＩＩ−ＩＩ線に沿う断面図
【図３】第１実施形態に係るドラム式洗濯機における投入口周辺部の構成例を概略的に示すものであり、図２のＩＩＩ−ＩＩＩ線に沿う正面図
【図４】第１実施形態に係るベローズの構成例を概略的に示す正面図
【図５】第１実施形態に係るベローズの構成例を概略的に示す断面図
【図６】第２実施形態に係るドラム式洗濯機における要部の構成例を拡大して概略的に示すものであり、図１のＩＩ−ＩＩ線に沿う断面図
【発明を実施するための形態】
【０００９】
以下、ドラム式洗濯機に係る複数の実施形態について図面を参照しながら説明する。なお、複数の実施形態において実質的に同一の要素には同一の符号を付し、その説明を省略する。
【００１０】
（第１実施形態）
図１，２に例示するように、ドラム式洗濯機１０は、洗濯物の投入口１２を有する外箱１４と、外箱１４内に収納され弾性支持された貯水容器としての水槽１６と、水槽１６内に回転可能に配設されたドラムとしての回転槽１８と、を備えている。
【００１１】
外箱１４は、ほぼ矩形箱状をなし、その前面に円形の凹所２０を備えている。凹所２０には円形の洗濯物投入口１２が形成されている。凹所２０には、投入口１２を開閉するドア２２が取り付けられている。ドア２２は、投入口１２の開口縁部の左右いずれか一方に設けられたヒンジ２３により回動可能に設けられ、投入口１２を閉塞する閉塞状態で凹所２０内に収納されるように構成されている。ドア２２は、環状のドアフレーム２４と、その内側において洗濯機内部を透視できる材料からなるガラス窓としてのドア本体部２６と、からなる。ドア本体部２６の裏面形状は、投入口１２よりも奥内方に膨出した形状をなしている。
【００１２】
水槽１６は、その軸芯をほぼ水平方向、厳密には、前方に向かってやや上方に傾斜した方向に向け、かつ、後面が閉塞された円筒状をなす。水槽１６は、図示しないダンパを介して外箱１４の底板に弾性支持されている。水槽１６の前面は、外箱１４の投入口１２を後方から臨む位置において前方に開口して設けられており、投入口１２から回転槽１８内に洗濯物を投入するための円形の開口部２８を構成している。
【００１３】
回転槽１８は、水槽１６の内部において水槽１６と同軸に配され、かつ、後面が閉塞された円筒状部材である。回転槽１８は、図示しないモータに接続されて、水槽１６と同軸の軸芯を中心に回転可能に構成されている。回転槽１８の前面の開口部３０は、水槽１６の開口部２８の後方において軸方向に対向して設けられており、投入口１２から開口部２８および開口部３０を通して洗濯物が回転槽１８内に投入されるように構成されている。なお、回転槽１８の円筒壁には複数の貫通孔３２が形成されており、回転槽１８内の水と水槽１６内の水がこれら複数の貫通孔３２を通して相互に流通可能とされている。
【００１４】
図２に例示するように、外箱１４の投入口１２と水槽１６の開口部２８との間には、円筒状のベローズ３４が介設されており、両者の間を水密に接続している。ベローズ３４は、弾性材料、例えばＥＰＤＭ（エチレン−プロピレンゴム）などのエラストマーからなり、水槽１６が洗い動作時、すすぎ動作時および脱水動作時の振動で外箱１４に対して相対的に振動することに追従して弾性変形することによる防水機能と、駆動時のモータの振動が水槽１６から外箱１４に伝わることを抑制する防振機能を発揮する。
【００１５】
図３から図５にも示すように、ベローズ３４は、軸方向の一端部、この場合、前端部に外箱１４の投入口１２に取り付けられる外箱側取付部３６を有し、軸方向の他端部、この場合、後端部に水槽１６の開口部２８に取り付けられる水槽側取付部３８を有する短円筒状部材である。ベローズ３４は、外箱側取付部３６から後方、つまり、奥方に延びる円筒状の筒状部３９と、この筒状部３９の後端から外周側に蛇腹状に折り返されて水槽側取付部３８に連結された伸縮部４０と、を備える。
【００１６】
筒状部３９の外周には、円筒状の緩衝部材４１が配設されている。緩衝部材４１は、水槽１６の振動時に伸縮部４０が弾性変形して筒状部３９に直接当接することにより異音が発生することを防止するクッション材であり、例えばＥＰＤＭの発泡体などで形成されている。
【００１７】
また、筒状部３９の外周面には、径方向外方に向けてフランジ状の緩衝壁４２が一体に形成されている。緩衝壁４２は、伸縮部４０とその前方に位置する外箱１４の前板４４との間に介在して、伸縮部４０が弾性変形したときに前板４４の裏面に直接当接することを防止する。前板４４は、ベローズ３４が取り付けられるベローズ取付部の一例である。
【００１８】
ベローズ３４の前端部に相当する外箱側取付部３６には、径方向内方側に向けて環状のリップ４６が突設されている。リップ４６は、ドア２２の閉塞状態において、ドア本体部２６の裏面に当接することにより、ドア２２との間でシール機能を発揮する。
【００１９】
次に、水槽側取付部３８の水槽１６への固定構造について説明する。水槽１６の前端部には、径方向内方に突出する内フランジ部４８が設けられ、内フランジ部４８の内側が開口部２８として形成されている。内フランジ部４８には、前方に向けて突出した円筒状の取付筒部５０と、この取付筒部５０の先端から径方向外方に突出した取付フランジ部５２と、が設けられている。これにより、取付筒部５０の外周側に嵌合凹溝５４が形成されている。ベローズ３４の水槽側取付部３８は、取付フランジ部５２が嵌入する溝部５６と、嵌合凹溝５４に外嵌する断面ほぼＵ字状の係合部５８と、を備えている。水槽側取付部３８は、係合部５８の外周にワイヤ６０をリング状に外嵌し締め付けることにより、水槽１６の開口部２８に取り付け固定されている。
【００２０】
次に、外箱側取付部３６の外箱１４への固定構造について説明する。外箱１４の前面部には金属板よりなる前板４４が設けられ、この前板４４に円形の開口部が設けられることで、当該開口部により投入口１２が形成されている。より詳細には、前板４４の前面は樹脂製の化粧板６２により覆われており、この化粧板６２により外箱１４前面部の凹所２０が形成されている。
【００２１】
投入口１２の開口縁部は、外向き逆テーパ状に折り返して突出させたフランジ状をなしている。より詳細には、投入口１２の開口縁部は、前板４４の開口縁部を前方かつ径方向外方側に折り返すことで逆テーパ状に広がる前側フランジ部６４を全周にわたって形成している。これにより、前側フランジ部６４の外周に前板４４の本体部分との間で断面略Ｖ字状、即ち、鋭角状の嵌合溝６６を形成している。
【００２２】
一方、ベローズ３４の外箱側取付部３６は、嵌合溝６６に外嵌する環状かつヒレ状の固定片部６８を有し、固定片部６８にワイヤ７０をリング状にして外嵌させることで前板４４に固定されている。より詳細には、固定片部６８は、図２，５に示されるように、外箱側取付部３６の前端から後方に延びる第１片部６８Ａと、第１片部６８Ａの後端から径方向外向きに延びる第２片部６８Ｂとからなり、第１片部６８Ａの内周側に前側フランジ部６４が嵌合する後方に向けて開かれた溝部７２が設けられて、断面ほぼＺ字状をなしている。
【００２３】
図３に例示するように、ワイヤ７０は、周方向の一部にコイルバネ部７４を有し、その縮径しようとするスプリング力により、固定片部６８を前板４４に締め付け固定する。すなわち、固定片部６８は、ワイヤ７０によって嵌合溝６６内に押し込まれ、ワイヤ７０の締め付け力によって当該嵌合溝６６内に固定される。
【００２４】
また、ワイヤ７０は、一端部７０Ａが外箱１４の投入口１２の開口縁部に設けられた第１取付け孔７６に引っ掛けられることで固定され、そこから投入口１２の周りにリング状に１周巻き付けられ、さらに、他端部７０Ｂが投入口１２の開口縁部に設けられた第２取付け孔７８に引っ掛けられることで固定される。これにより、ワイヤ７０は、リング状に取り付けられている。他端部７０Ｂにはコイルバネ部７４が設けられている。他端部７０Ｂは、このコイルバネ部７４を含む周方向部分が一端部７０Ａと周方向で所定の重なり部分７０Ｃを持つようにして、第２取付け孔７８に引っ掛けられて固定されている。この重なり部分７０Ｃは、ワイヤ７０の取付作業性の点から、投入口１２の上縁側に配置されている。
【００２５】
図２に例示するように、固定片部６８には、ワイヤ７０による締付部よりも外周側の先端部に、ベローズ３４のワイヤ７０からの抜けを防ぐための突起８０が設けられている。突起８０は、固定片部６８の先端部での肉厚Ｔ１が、ワイヤ７０による締付部での肉厚Ｔ０よりも大きくなるように、固定片部６８の先端部に突設されている。より詳細には、突起８０は、前板４４の壁面に沿って延びる第２片部６８Ｂの径方向外周縁部において、前板４４の壁面から離れる方向に向けて突出し、即ち、前板４４の壁面に対し直立して設けられている。
【００２６】
突起８０は、固定片部６８の先端部において周方向に沿って延びる突条からなる。図３，４に例示するように、突起８０は、１重のほぼ環状をなしていて、ワイヤ７０の重なり部分７０Ｃに相当する周方向位置、即ち、上側部分に切り欠き部８２を有する平面視でほぼＣ字状に形成されている。また、突起８０は、周方向で高さ一定、かつ、幅も一定に設定されている。なお、図３，４では、突起８０の形状を分かりやすくするために塗り潰して示している。
【００２７】
また、図４に例示するように、ベローズ３４は、突片９０を有している。この場合、突片９０は、ベローズ３４の上部の中央部から上方に突出している。ドラム式洗濯機１０の製造時において、作業者は、この突片９０を目安としてベローズ３４の取り付けを行うことができる。
【００２８】
以上のように構成されるドラム式洗濯機１０は、さらに位置決め部１００を備えている。位置決め部１００は、ベローズ取付部の一例である前板４４に対しベローズ３４を位置決めするための構成要素である。次に、この位置決め部１００の構成例について説明する。即ち、図２に例示するように、位置決め部１００は、凸部１０１および孔部１０２を備えている。
【００２９】
凸部１０１は、ベローズ側位置決め部の一例である。図５にも例示するように、凸部１０１は、この場合、ベローズ３４の外箱側取付部３６の先端部に設けられている。また、凸部１０１は、外箱側取付部３６の先端部の後面から後方に突出する凸形状となっている。また、凸部１０１は、ベローズ３４の外箱側取付部３６の先端部において突起８０とは反対側に設けられている。また、凸部１０１は、先端部に向かうほど小径となる、先端部が平坦なほぼ円錐形状をなしている。また、凸部１０１の先端部と緩衝壁４２との間には、若干の隙間が形成されている。なお、凸部１０１は、その全体にわたって径寸法が同一である円柱形状に形成してもよい。また、凸部１０１の先端部は、緩衝壁４２に当接していてもよい。
【００３０】
一方、孔部１０２は、ベローズ取付部側位置決め部の一例である。図２に例示するように、孔部１０２は、前板４４の先端部において嵌合溝６６よりも外周側の部分に設けられている。また、孔部１０２は、前板４４の先端部を前後方向に貫通する孔形状となっている。また、孔部１０２は、前板４４に周知のバーリング加工を施すことにより形成されており、前板４４の後面側に、後方に突出する円筒部を有している。
【００３１】
以上のように構成される位置決め部１００によれば、孔部１０２に凸部１０１が差し込まれた状態において、凸部１０１は、孔部１０２の全体を後方に貫通する。そして、凸部１０１の先端部は、孔部１０２よりも後方側において、緩衝壁４２の前面に対峙した状態となる。
【００３２】
また、位置決め部１００は、ドラム式洗濯機１０の外箱１４内において、ベローズ３４のリップ４６の極力近傍となる部位に設けられている。即ち、ドラム式洗濯機１０の外箱１４内において、位置決め部１００は、前板４４の前側フランジ部６４を挟んでベローズ３４のリップ４６とは反対側となる部位に設けられている。また、位置決め部１００は、ドラム式洗濯機１０の外箱１４内において、水槽１６よりもドア２２に近い位置に備えられている。
【００３３】
また、図３，４に例示するように、ドラム式洗濯機１０は、複数の位置決め部１００を備えている。なお、説明の都合上、図３，４には、位置決め部１００を構成する凸部１０１の位置のみを例示している。また、凸部１０１を塗り潰して示している。
【００３４】
この場合、複数の位置決め部１００は、ベローズ３４の円周方向に沿って配置されている。また、複数の位置決め部１００は、ベローズ３４の円周上において、相互に間隔を有して配置されている。また、ベローズ３４の下側、この場合、上下方向の中央部よりも下側に備えられる位置決め部１００の数は、ベローズ３４の上側、この場合、上下方向の中央部よりも上側に備えられる位置決め部１００の数よりも多くなっている。この場合、ベローズ３４の下側に備えられている位置決め部１００の数は５つ、ベローズ３４の上側に備えられている位置決め部１００の数は３つ、となっている。
【００３５】
第１実施形態に係るドラム式洗濯機１０によれば、位置決め部１００は、ベローズ３４に設けられる凸形状の凸部１０１と、前板４４に設けられる孔形状の孔部１０２と、を備えている。この構成によれば、作業者は、ベローズ３４の凸部１０１を前板４４の孔部１０２に差し込むことで、ベローズ３４を適正な位置に取り付けることができる。よって、作業者による目測や経験に頼らなくともベローズ３４を適正な状態で取り付けることができる。
【００３６】
なお、本開示に係るドラム式洗濯機１０によれば、ベローズ３４には取り付け位置の目安となる突片９０が設けられている。そのため、作業者は、この突片９０を目印とすることによってもベローズ３４を取り付けることができ、位置決め部１００および突片９０の相乗効果によって、ベローズ３４の適正位置への取り付けを一層行いやすくすることができる。
【００３７】
また、前板４４側に設けるベローズ取付部側位置決め部は、孔形状ではなく、前板４４を貫通しない凹形状としてもよい。また、位置決め部１００は、ベローズ３４側に凹形状または孔形状を設け、前板４４側に凸形状を設けた構成としてもよい。前板４４側に凸形状を設ける場合には、その凸形状は、例えば、前板４４の前側フランジ部６４の先端部などに設けるとよい。即ち、前板４４の前側フランジ部６４の先端部は、樹脂製の化粧板６２によって覆われる部分である。そのため、このように他の部材によって覆われる部分に凸形状を設けることによって、当該凸形状が、例えばユーザの手指などに接触してしまうことを回避することができる。
【００３８】
また、ドラム式洗濯機１０によれば、位置決め部１００は、ベローズ３４のリップ４６の近傍に備えられている。この構成によれば、特にリップ４６の近傍領域におけるベローズ３４の位置決めを正確に行うことができ、リップ４６を適正な位置に配置することができる。よって、外箱１４の投入口１２を閉塞するドア２２に対するリップ４６によるシール機能を効果的に発揮させることができる。
【００３９】
また、ドラム式洗濯機１０によれば、位置決め部１００は、水槽１６よりもドア２２に近い位置に備えられている。そのため、ベローズ３４のリップ４６を一層適正な位置に配置することができ、リップ４６によるシール機能を一層効果的に発揮させることができる。
【００４０】
また、ドラム式洗濯機１０によれば、ベローズ３４の下側に備えられる位置決め部１００の数を、ベローズ３４の上側に備えられる位置決め部１００の数よりも多くしている。即ち、ドラム式洗濯機１０において、水槽１６内に供給される水は、当該水槽１６内の下部に溜められる。そのため、ベローズ３４の下側における位置決め部１００の数を多くすることによって、特にベローズ３４の下側部の取り付け位置を適正な状態とすることができ、水槽１６内の下部に溜められる水に対する防水機能を効果的に発揮させることができる。
【００４１】
また、ドラム式洗濯機１０によれば、位置決め部１００は、凸部１０１が孔部１０２に差し込まれた状態において、凸部１０１が孔部１０２の全体を後方に貫通するように構成されている。この構成によれば、孔部１０２の後方から突出する凸部１０１の先端部によって、緩衝壁４２が前板４４側に揺れることを抑制することができる。よって、緩衝壁４２が前板４４に当たることによる異音の発生を抑制することができる。
【００４２】
なお、位置決め部１００は、凸部１０１を短くして、当該凸部１０１が孔部１０２の後方から突出しない構成としてもよい。この場合、位置決め部１００は、バーリング加工により形成される孔部１０２の円筒部を、後方側に極力長く形成するようにするとよい。この構成によれば、孔部１０２の円筒部の先端部によって、緩衝壁４２が前板４４側に揺れることを抑制することができ、従って、緩衝壁４２が前板４４に当たることによる異音の発生を抑制することができる。
【００４３】
（第２実施形態）
図６に例示するように、ドラム式洗濯機１０は、さらに、ドア２２より水槽１６に近い位置に位置決め部２００を備えている。位置決め部２００は、凸部２０１および孔部２０２を備えている。凸部２０１は、ベローズ側位置決め部の一例であり、ベローズ３４の係合部５８の後面から後方に突出する凸形状をなしている。一方、凹部２０２は、ベローズ取付部側位置決め部の一例であり、水槽１６の内フランジ部４８を前後方向に貫通する孔形状をなしている。この場合、水槽１６の内フランジ部４８は、ベローズ取付部の一例として備えられている。
【００４４】
第２実施形態に係るドラム式洗濯機１０によれば、作業者は、ベローズ３４の凸部２０１を内フランジ部４８の孔部２０２に差し込むことで、ベローズ３４の特に後部を適正な位置に取り付けることができる。また、ドラム式洗濯機１０によれば、位置決め部１００によってベローズ３４の特に前部を適正な位置に取り付けることができる。即ち、ドラム式洗濯機１０によれば、ベローズ３４の前部も後部も適正な位置に取り付けることができる。よって、作業者による目測や経験に頼らなくとも、ベローズ３４を前部および後部を含む全体にわたって適正な状態で取り付けることができる。
【００４５】
なお、位置決め部２００は、孔形状の孔部２０２に代えて、凹形状の凹部を備える構成としてもよい。また、位置決め部２００は、ベローズ３４側に凹形状または孔形状を有し、水槽１６側に凸形状を備える構成としてもよい。また、ドラム式洗濯機１０は、複数の位置決め部２００を備える構成としてもよい。この場合、ベローズ３４の下部側に設けられる位置決め部２００の数を、ベローズ３４の上部側に設けられる位置決め部２００の数よりも多くするとよい。また、ドラム式洗濯機１０は、位置決め部１００を備えず、位置決め部２００のみを備える構成としてもよい。
【００４６】
（その他の実施形態）
本実施形態は、上述した複数の実施形態に限られるものではなく、その要旨を逸脱しない範囲で種々の変更や拡張を行うことができる。例えば、上述した複数の実施形態を適宜組み合わせて実施してもよい。また、ベローズ３４に設ける位置決め部１００，２００の数は、適宜変更して実施することができる。この場合、ベローズ３４の下部側に設けられる位置決め部１００，２００の数を、ベローズ３４の上部側に設けられる位置決め部１００，２００の数よりも多くするように構成するとよい。また、ベローズ３４に設けられる何らかの凸部、凹部、孔部を位置決め部として用いてもよい。
【００４７】
本実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。本実施形態およびその変形は、発明の範囲および要旨に含まれるとともに、特許請求の範囲に記載された発明とその均等の範囲に含まれる。
【符号の説明】
【００４８】
図面中、１０はドラム式洗濯機、１２は投入口、１４は外箱、１６は水槽、１８は回転槽、２２はドア、２８は水槽の開口部、３４はベローズ、４４は前板（ベローズ取付部）、４６はリップ、４８は水槽の内フランジ部（ベローズ取付部）、１００は位置決め部、１０１は凸部（ベローズ側位置決め部）、１０２は孔部（ベローズ取付部側位置決め部）、２００は位置決め部、２０１は凸部（ベローズ側位置決め部）、２０２は孔部（ベローズ取付部側位置決め部）を示す。
【図１】
2020141895.tif 000003
【図２】
2020141895.tif 000004
【図３】
2020141895.tif 000005
【図４】
2020141895.tif 000006
【図５】
2020141895.tif 000007
【図６】
2020141895.tif 000008